(57)【要約】      （修正有）【課題】炭酸飲料を開栓する際に、容器開口から”ポン”と音を発する封栓構造を提供する。【解決手段】炭酸ガスを含有する発泡性飲料を注入した容器５の容器口を栓体で封止する構造において、容器５にプラグ栓１を係止し、さらに、キャップ３とキャップ蓋２で構成する複合キャップがプラグ栓１を押えて封栓している。開栓に際して、複合キャップを開栓方向に捩じってタンパーエビデントバンド４を分離し、螺子を解放した後、複合キャップを抉り乍ら持ち上げてプラグ栓１の下環状突起１４がビード５１を乗越えて係合を外すと、容器内部ガス圧によりプラグ栓１は容器口から勢いよく飛び出し、同時に、容器内の圧縮ガスが一気に膨張して、”ポン”と音を発して開栓する、その際、飛び出したプラグ栓１が複合キャップの内側に納まる。【選択図】図４
2019048658.tif 000002
【特許請求の範囲】
【請求項１】
炭酸ガスを含有する発泡性飲料を注入した容器5の容器口50に圧入して発泡性飲料を封栓止するハット型プラグ栓1と、前記プラグ栓1を容器5に固定するための複合キャップＡで構成する発泡性飲料の封止栓において、前記プラグ栓1は、容器5に密接する封止円筒部10の上端内側に鈎歯12を形成し、また、前記封止円筒部10の上部外側に上環状突起13および下部外側に下環状突起14を所定の距離隔てて形成し、前記複合キャップＡは、容器5に螺合しプラグ栓1の上部に圧接してプラグ栓1を容器5に固定するキャップ3と、キャップ蓋2とが嵌合固定してなり、前記キャップ蓋2は、ドーム型頂部内面から降下する栓抜部20を有していることを特徴とする炭酸ガス含有発泡性飲料容器の封止栓。
【請求項２】
キャップ蓋2の頂部内面から降下する栓抜部20は、上部が円筒壁22で円筒壁22に連なって下方に、弾性を有し湾曲可能な柱状のアーム23が、所定の間隔を保って環状に並び、さらに前記アーム23の下端外向きに鈎爪24を形成して構成され、プラグ栓1を圧入した容器5に複合キャップＡを装着する際、容器5に複合キャップＡを被せると栓抜部20下端の鈎爪24の傾斜面がプラグ栓1の鈎歯12の傾斜面に当接し、複合キャップAを押し込むと、鈎爪24は鈎歯12の傾斜面を下方に滑動すると同時にアーム23が内側に弾性湾曲して、鉤爪24は内側に寄せられてプラグ栓1の鈎歯12の開口を挿通して、栓抜部20がプラグ栓１の内側に挿入されてアーム23の湾曲は復元することを特徴とする請求項1記載の炭酸ガス含有発泡性飲料容器の封止栓。
【請求項３】
封栓している状態では、キャップ蓋2の栓抜部20はハット型プラグ栓1の内側に挿入されている、プラグ栓1の鈎歯12と、栓抜部20のアーム23の下端外側の鈎爪24とは上下方向に所定の距離をもって離間していることを特徴とする請求項1または2に記載の炭酸ガス含有発泡性飲料容器の封止栓。
【請求項４】
キャップ3の下端にタンパーエビデントバンドを有することを特徴とする請求項1〜3に記載の炭酸ガス含有発泡性飲料容器の封止栓。
【請求項５】
前記複合キャップＡを握持して捩じる、持ち上げる、抉るなどの動作により、複合キャップＡを持ち上げると、栓抜部20先端の鈎爪24がプラグ栓1の鈎歯12と噛合い、鈎爪24と鈎歯12が噛合いを保持したまま複合キャップＡをさらに持ち上げることで、プラグ栓1を容器5から抜くことができることを特徴とする請求項1〜4に記載の炭酸ガス含有発泡性飲料容器の封止栓の開栓方法。
【請求項６】
プラグ栓１の鈎歯12とキャップ蓋2の鈎爪24が噛合う際の接合面の角度が、鈎歯12の下向き接合面は先端に向かい所定角度下り傾斜し、鈎爪24の上向き接合面は先端に向かい所定角度上り傾斜していて、開栓時に、鈎歯12に鈎爪24を噛合わせてプラグ栓1を引き抜く際、噛合わせが外れるのを防止できることを特徴とする請求項1〜4に記載の炭酸ガス含有発泡性飲料容器の封止栓。
【請求項７】
プラグ栓1を抜く際に握持する複合キャップＡは、上面がドーム形のキャップ蓋2で、胴体部分は、縦に置いた樽を扁平にした形状のキャップ3で、胴の部分に縦に長い楕円形の窪みを円周方向に多数並べて、開栓時に、複合キャップＡを握りやすくしたことを特徴とする請求項1〜4に記載の炭酸ガス含有発泡性飲料容器の封止栓。
【請求項８】
プラグ栓1を抜く際に、容器5のビード51の下部にプラグ栓1の下環状突起14の上部が当接するまで複合キャップＡを適度な力で持ち上げるとプラグ栓1は係止して抜け止まり、その状態ではキャップ3の下端は容器5の上端よりも上の高さに位置することを特徴とする請求項1〜4に記載の炭酸ガス含有発泡性飲料容器の封止栓。
【請求項９】
開栓の最終段階で、プラグ栓1が容器口50から勢いよく飛び出すと、プラグ栓1の底板11と容器5の上端との間に生じた空間から、容器内の圧縮ガスが瞬時に膨張して放出され、”ポン”と、またはそれに類似する音を発することを特徴とする請求項1〜4に記載の炭酸ガス含有発泡性飲料容器の封止栓の開栓方法。
【請求項１０】
プラグ栓1が容器5から飛び出すと、プラグ栓1の鈎歯12は噛合っていた栓抜部20の鈎爪24の接合から離れ、鈎歯12の先端は栓抜部20の円筒壁22及びアーム23の外面に沿って、また、円筒壁10は栓抜部20の先端に沿って上方に瞬時に移動し、プラグ栓1の上部がキャップ蓋2の頂部内面に当接して、複合キャップＡの内側に納まることを特徴とする請求項1〜4に記載の炭酸ガス含有発泡性 飲料容器の封止栓の開栓方法。
【請求項１１】
容器の材質がガラスで、複合キャップを構成するキャップの材質が金属で、なおかつピルファプルーフキャップであることを特徴とする請求項1〜3、5〜6、8〜10に記載の炭酸ガス含有発泡性飲料容器および封止栓。
【発明の詳細な説明】
【技術分野】
【０００１】
本発明は、封栓した炭酸ガス発泡性飲料容器を開栓する際に、キャップとキャップ蓋で構成される複合キャップを操作して、容器に嵌合するハット型のプラグ栓を引き抜くことができ、容器内部ガス圧により容器口から飛び出したプラグ栓を複合キャップの内側に納まるようにした、炭酸ガス発泡性飲料容器をプラグ栓と複合キャップで封止する構造および開栓する方法に関する。
【背景技術】
【０００２】
炭酸ガス発泡性飲料容器を封栓する代表的な第1の方法として、合成樹脂製の炭酸清涼飲料容器を封栓する方法がある。この方法は、容器口に嵌合固定された合成樹脂製の中栓と、その中栓を覆い容器外面の螺子に締結される合成樹脂製の上蓋で構成されるる複合容器蓋による封栓方法であり、開栓に際しては、複合容器蓋の螺子を緩めるとタンパーエビデントバンドが切り離されシール解除がなされていないことを認識することができ、さらに螺子を緩めると螺子が離脱する前にシールブレークとなり容器内部のガスは徐々に抜けて開栓となる。特許文献1には、このような容器口に嵌合固定された合成樹脂製の中栓とその中栓を覆うように容器に螺子締結される合成樹脂製の上蓋で構成される複合容器蓋による封栓方法が示されている。
【０００３】
また、炭酸ガス発泡性飲料容器を封栓する代表的な第2の方法として、スパークリングワイン等の封栓方法がある。この方法は、瓶口に栓体を押圧挿入し、そのうえメタルワイヤー製の留金具で固定して栓体が抜けるのを防止して封栓するか、更には、押圧挿入した栓体に設けた突条と瓶上部に設けた突条が係合するようにして、開栓時に留金具を外しても栓体が抜けるのを防止できる機構を加えた封栓方法がある。特許文献2には、このような中栓と留金具とからなる封栓構造が示されている。
【０００４】
前記第2の方法において、開栓に際し、留金具を外し、瓶口から栓体を引き抜く開栓の最終段階では容器内部ガス圧により瓶口から飛び出す状態にある栓体を手で押えておき、力を緩めると栓体は手から離れて瓶口から勢いよく飛び出し、その瞬間に”ポン”と音を発することが、スパークリングワインの開栓時には必要な要素とされる。また、瓶口から飛び出した栓体を手または布で受け止めて、栓体が空間に飛び出すのを防止している。
【先行技術文献】
【特許文献】
【０００５】
【特許文献１】特開2002-332056  衝撃性に優れた合成樹脂製複合容器蓋
【特許文献２】特開平09-221154  炭酸ガス含有発泡性飲料瓶の封止構造
【発明の概要】
【発明が解決しようとする課題】
【０００６】
しかしながら、ガラス容器に比べてガス透過性や耐熱性で劣る面があるものの、量産性、経済性、輸送の面で優れている点があり、清涼飲料やアルコール飲料の容器として利用範囲が拡大している合成樹脂製の炭酸飲料容器を封栓する前記第1の方法は、開栓に際して、螺子を緩めるとタンパーエビデントバンドが切り離され、螺子が離脱する前に生じるわずかな隙間からシールブレークとなり、容器内部の炭酸ガスが徐々に抜けて行くので栓体が容器から飛び出すことがなく、安全な反面、スパークリングワインの開栓時に必要とされる”ポン”と音を発することができないため、スパークリングワインの容器には適していない。
【０００７】
また、容器がガラスの瓶に栓体を圧入して留金具などで固定して封栓する前記第2の方法では、開栓の際、留金具を外し、栓体を手でしっかり握って瓶口まで徐々に持上げ、瓶口から栓体が容器内部ガス圧により飛び出す段階まで手で握った状態から、力を緩めると栓体は瓶口から飛び出して、”ポン”と音を発する、この時栓体を握っていた手とは別な手または布で瓶口を覆うなどして栓体を受け止めて、栓体が空間に飛び出すのを防止している。しかし、瓶口から飛び出した栓体を手で受け止めると手に痛みを感じたり、受け止め損なって栓体が空間に飛び出して、周囲にいる人や照明器具等器物に衝突するなどして事故につながることがあり、その対策として、瓶口を布で覆って開栓する方法がとられるが、一部で行われるにとどまり、その上、”ポン”と発する音は布に遮られて小さくなりこもってしまうため、さらなる改善が求められている。
【課題を解決するための手段】
【０００８】
本発明にかかる炭酸ガス含有発泡性飲料容器の封止構造は、合成樹脂製の容器を合成樹脂製のプラグ栓、合成樹脂製の複合キャップにより封止する構造で、炭酸飲料を充填した容器にハット型のプラグ栓を圧入すると、プラグ栓上部外面の上環状突起が容器口上部のビードの下部に係合してプラグ栓が容器を封栓し、さらに、容器に複合キャップを螺合してプラグ栓が抜けるのを防止することのできる封止構造において、プラグ栓は上端内側に鈎歯を形成し、また、複合キャップは、螺子を有するキャップとドーム型頂部内面から降下して、円筒壁、アーム、鈎爪で構成する栓抜部が形成されるキャップ蓋で構成され、封栓時に栓抜部はハット型プラグ栓の内側に挿入されていることを特徴とする。
【０００９】
そして、前記プラグ栓の上部外面にある上環状突起と下部外面にある下環状突起が所定の距離を隔てて形成していることを特徴とする。
【００１０】
さらに、封栓した際に、前記プラグ栓の上端内面に形成された鈎歯と複合キャップの栓抜部下端の鉤爪は、上下に所定の距離隔てた位置にあり、内向きの鈎歯の先端は、栓抜部円筒壁の外面とは隙間を有し、外向きの鈎爪の先端は、プラグ栓封止円筒部の内面とは隙間を有していることを特徴とし、加えて、栓を抜く過程で前記鈎歯と前記鉤爪が噛合う面は、所定の角度で傾斜していることを特徴とする。
【００１１】
したがって、本発明によれば、開栓に際して、複合キャップを緩む方向に捩じって容器と複合キャップの螺合を解放し、複合キャップを所定の高さまで持ち上げて、複合キャップの栓抜部下端の鈎爪をプラグ栓上部の鈎歯に噛合わせ、さらに、適度な力で複合キャップを持ち上げる、抉るなどしてプラグ栓を抜いて行き、プラグ栓の下部環状突起が容器口部ビードに係合する高さまで、容器の気密を保持したまま持ち上げると、プラグ栓が係止して一旦抜け止まることを特徴とする。
【００１２】
そして、プラグ栓の下環状突起が容器口部ビードに係合して抜けるのを停止した状態から、再度複合キャップを抉るなどして持上げる力を加えて容器口部ビードを乗越えさせると、プラグ栓は容器内部ガス圧により容器口から勢いよく飛び出して、開栓することを特徴とする。
【００１３】
さらに、プラグ栓が飛び出すと同時に、容器内の圧縮ガスが瞬時に膨張して、容器口とプラグ栓底面との間に生じた障害物がない空間に一気に放出されることを特徴とする。
【００１４】
そして、容器から飛び出したプラグ栓は瞬時に複合キャップ頂部に当接して、複合キャップの内側に納まり、容器周囲の空間にプラグ栓が飛び出すことがないことを特徴とする。
【００１５】
本発明によれば、合成樹脂製の炭酸飲料容器、プラグ栓、複合キャップによる封栓方法で、封栓の第1段階である炭酸飲料を充填した容器にプラグ栓を圧入すると、容器口上部内側のビードがプラグ栓封止円筒部外側上部の上環状突起を係止してプラグ栓が抜けるのを防止し、また、封栓の第2段階では、複合キャップを容器に螺合してプラグ栓が容器から抜けるのを防止して封栓を確実にし、開栓に際して、複合キャップを片方の手で捩じる、持上げる、抉る動作により、プラグ栓に手を触れることなく開栓することができて、開栓の最終段階において、容器内部ガス圧により容器口から勢いよく飛びだしたプラグ栓が、複合キャップ頂部内面に当接して複合キャップの内側に納まることを特徴とする封栓構造が提供される。
【発明の効果】
【００１６】
以上説明した本発明によれば、合成樹脂製の炭酸飲料容器の開栓操作において、容器に圧入したハット型プラグ栓に手を触れることなく、握持した複合キャップを捩じる、持上げる、抉る動作により開栓することができ、また開栓の最終段階で容器内部ガス圧により容器口から勢いよく飛び出したプラグ栓は、常に複合キャップの内側に納まり容器周囲の空間に飛び出すことによる危険がない。
【００１７】
また、プラグ栓が容器口から飛び出すと同時に、容器内の圧縮ガスが一気に膨張して、スパークリングワインを開栓する時に必要な要素とされる、”ポン”という音を発する。
【００１８】
容器および栓体の材料は清涼飲料やアルコール飲料等で大量に使用されている、安価で、量産技術、リサイクルシステムが確立している合成樹脂を使用できて、封栓は、容器に圧入されたプラグ栓を複合キャップが押えることで確実に封栓でき、そのうえ、開栓に際して、タンパーエビデントバンドによりシールが解除されていないことを認識できる、清涼飲料、アルコール飲料及びスパークリングワイン等の炭酸飲料容器の封栓構造が得られる。
【００１９】
本発明による容器および容器の封止構造は、プラスチック容器に比べて耐熱性やガス透過性が勝るガラス容器に対しても適用可能である。
【図面の簡単な説明】
【００２０】
【図１】本発明のプラグ栓を容器に圧入した状態を示す側断面図である。
【図２】複合キャップの側断面図である。
【図３】プラグ栓を打栓した容器に複合キャップを取付ける方法を示す側断面図である。
【図４】封栓した状態を示す側断面図である。
【図５】開栓時の過程を示す側断面図である。
【図６】開栓が終了した状態を示す側断面図である。
【図７】容器をガラス、キャップを金属にした場合の封栓した状態を示す側断面図である。
【発明を実施するための形態】
【００２１】
本発明を、以下、添付図面に示す具体例に基づいて詳細に説明する。
図1は、本発明のプラグ栓を容器に圧入した状態を示す側断面図であり、
図2は、複合キャップの側断面図であり、
図3は、プラグ栓を打栓した容器に複合キャップを取付ける方法を示す側断面図であり、
図4は、封栓した状態を示す側断面図であり、
図5は、開栓時の過程を示す側断面図であり、
図6は、開栓が終了した状態を示す側断面図であり、
図7は、容器をガラス、キャップを金属にした場合の封栓した状態を示す側断面図である。
なお、プラグ栓1が容器5に封栓している状態を示す、図1、図3、図4、図5、図7における上環状突起13、下環状突起14、および容器5の内面、ビード51は、プラグ栓1と容器5がそれぞれ単独での形状を重ねて図としている、そのため、プラグ栓1に容器5のビード51が重なり、容器5の内面に上環状突起13、下環状突起14が重なって描かれている。しかし、プラグ栓1を圧入した際の実際の状態は、それぞれが互いに変形して圧接した状態となり、図のように互いの材料内に喰い込むことはない。
【００２２】
図1において、ハット型のプラグ栓1を容器5に圧入した状態を示し、図2において、キャップ3とキャップ蓋2とが嵌合固定された複合キャップＡを示し、図4において、プラグ栓1を圧入した容器5に複合キャップＡを装着して封栓が完了した状態を示している。
【００２３】
このようなプラグ栓1、および、キャップ3とキャップ蓋2で構成する複合キャップＡは、公知の合成樹脂、例えば、ポリエチレン、ポリエチレン-ポリプロピレン重合体、ポリスチレン、ＡＢＳ樹脂、あるいはポリカーボネートなどの一体成形により形成されるが、特にプラグ栓1は比較的軟質で可塑性の高い材料で形成され、螺子を有するキャップ3は比較的硬質で、強度の高い材料で形成され、キャップ蓋2はさらに硬質で、弾性を有し、より強度の高い材料で形成される。
【００２４】
この発明の実施の形態を図に基づき説明すると、図1にプラグ栓1を容器5に圧入した状態を示しており、プラグ栓1の封止円筒部10の外径は容器5に圧入する前は容器口の内径より若干大きく、炭酸飲料の入った容器5に圧入して容器5を封栓することができ、また、容器口50には内側に盛り上がったビード51が形成されていて、前記ビード51はプラグ栓1を圧入した際、プラグ栓1の外側上部の上環状突起13と係合して、プラグ栓1を係止し、容器内部ガス圧によりプラグ栓１が抜けるのを防止している。さらに、下環状突起14は、プラグ栓1の一部を容器内面により強く押し付けて封栓を確実にしている。また、プラグ栓1を圧入する際の容器5への押圧は、受圧フランジ54が受け止めることができて、受圧フランジ54から下の容器本体は、圧入する際の押圧に耐える強度を必要としない。
【００２５】
また、図2に示すように、プラグ栓1が容器から抜けるのを確実に防止する役割の複合キャップＡはキャップ蓋2とキャップ3で構成され、ドーム形キャップ蓋2の外周突起21を、キャップ3の上部平板32の上面に設けた環状爪33に嵌合固定して複合キャップＡが構成されている。また、開栓操作をする際に握る部位となるキャップ3は、容器5に螺合する螺子31を有し、樽を立ててやや扁平にした形状で、外面の中ほどには細長楕円形のくぼみを環状に並べて握った際の滑り止めとし、さらに、下端にはタンパーエビデントバンド4がブリッジ40を介して接続される。また、前記キャップ蓋2は、ドーム形頂部の内面から下方に栓抜部20を形成し、栓抜部20は上部が円筒部22で、その下に、円筒壁に隙間を縦方向に複数等間隔に設けて柱状としたアーム23が環状に並び、アーム23の下端外向きに鈎爪24が形成されている。
【００２６】
プラグ栓1を圧入した容器5の頂部に複合キャップＡを取付ける方法を図3により説明すると、複合キャップＡを容器5の頂部にかぶせると、栓抜部20下端の鈎爪24の傾斜面がプラグ栓1上端の鈎歯12の傾斜面に当接する、さらに複合キャップＡを押し込むと鈎爪24は鈎歯12の傾斜面を滑動し、同時に、互いに隙間を有して環状に並んだアーム23は内側に弾性湾曲して、先端の鉤爪24が内側に寄せられて鈎歯12の開口を挿通して、栓抜部20がプラグ栓1の内側に挿入され、アーム23の湾曲は復元する。
【００２７】
さらに複合キャップＡを押し込むとキャップ3の螺子31が容器5の螺子52に当接し、キャップ3を締結方向に旋回して螺合を完了すると、タンパーエビデントバンド4が所定の位置に係止して、封栓が完了した状態が図4に示されている。
【００２８】
開栓するに際し、複合キャップＡを片手で握り、螺子を開栓方向に旋回するとキャップ3が持ち上がり、タンパーエビデントバンド4のフラップ片41が容器5の肉厚部53の下側に当接し、タンパーエビデントバンド4の上昇が制限され、ブリッジ40が破断してキャップ3から切り離されることにより所望の開封履歴明示機能が達成される。
【００２９】
タンパーエビデントバンド4から切り離された複合キャップＡをさらに旋回させて螺子を解放し、複合キャップＡを栓抜部20の鈎爪24がプラグ栓1上部の鈎歯12に当接するまで持ち上げ、さらに複合キャップＡを抉り乍ら持上げると、プラグ栓1の上環状突起13が容器5のビード51をのり越えて容器5とプラグ栓1の係合が一旦外れて、プラグ栓1と容器5が接する面では、封止円筒部10が容器内面に圧接して生じる摩擦力でプラグ栓1を止めようとする力と、容器内部ガス圧により容器5からプラグ栓1を押し出そうとする力とが抗した状態となり、そこから複合キャップＡを持ち上げると、プラグ栓1は下環状突起14が容器5のビード51に当接するまでは比較的容易に持上り、当接するとプラグ栓1は係止して抜け止まる、その状態が図5に示されている。この係止した状態では、持上げたキャップ3の下端は容器5の頂部よりも同じか高い位置にある。
【００３０】
図5の状態から再び複合キャップＡを抉り乍ら持上げると、プラグ栓1の下環状突起14がビード51を乗越えて、プラグ栓1は容器内部ガス圧によって容器口から勢いよく飛び出し、プラグ栓1が瞬時に移動してキャップ蓋2の頂部内面に当接した状態が図6に示されている。プラグ栓1が容器口50から飛び出すと同時に、容器内の圧縮ガスが一気に膨張して、”ポン”と音を発する。
【００３１】
また図6に示す通り、複合キャップＡの栓抜部20がハット型プラグ栓1の内側に挿入されているので、容器から飛び出したプラグ栓1は、複合キャップＡの内側に納まり、周囲の空間にプラグ栓1が飛び出すことがない。
【００３２】
本発明において説明した、炭酸飲料容器の封栓構造および開栓方法は、合成樹脂容器に比べてガス透過性が小さく、耐熱性に優れ、リユースが可能な、ガラス容器の封栓構造および開栓方法としても好適で、図7にはガラス容器の封栓構造を示した。
【００３３】
図7において、ガラス容器の瓶7には、容器5と同様に、螺子70、肉厚部71、ビード72が形成されり、圧入する前のプラグ栓1の封止円筒部10の外径は、瓶7の容器口の内径より若干大きく、前記プラグ栓1を圧入して炭酸飲料の入った瓶7を封栓することができる。また、瓶7の容器口には内側に盛り上がったビード72が形成されていて、プラグ栓1を圧入した際、プラグ栓1の外側上部の上環状突起13と係合してプラグ栓1を係止し容器内部ガス圧によりプラグ栓１が抜けるのを防止している、また、下環状突起14はプラグ栓1の一部を容器内面により強く押し付けてで瓶7の封栓をより確実にしている。
【００３４】
また、瓶7からプラグ栓1が抜けるのを防止する役割の複合キャップＢは、瓶7のガラスの強度および螺子形状寸法に合わせて加工が容易な金属キャップ6と、ドーム形頂部の内面から下方に栓抜部20を形成するキャップ蓋2とを嵌合部60で嵌合固定して構成され、金属キャップ6の筒状の胴部には、所定の高さに円周にミシン目を施した破断部62を設けてピルファプルーフキャップとしている。また、栓抜部20は上部が円筒部22で、その下は円筒壁に隙間を縦方向に複数等間隔に設けて柱状としたアーム23が環状に並び、アーム23の下端に鈎爪24が設けられている。
【００３５】
プラグ栓1を圧入した瓶7に複合キャップＢを取付ける方法は、複合キャップＢの金属キャップ6は胴部が筒状で、胴部の内径は瓶7の螺子70および肉厚部71よりわずかに大きく、前記複合キャップＢをプラグ栓1を圧入した瓶7にかぶせると、栓抜部20下端の鈎爪24の傾斜面がプラグ栓上部鈎歯12の傾斜面に当接する、さらに複合キャップＡを押し込むと鈎爪24は鈎歯12の傾斜面を滑動し、同時に、互いに隙間を有して環状に並んだアーム23は内側に弾性湾曲し、アーム23先端の鉤爪24が内側に寄せられて鈎歯12の開口を挿通して、栓抜部20がプラグ栓1の内側に挿入され、アーム23の湾曲は復元する。さらに、金属キャップ6がプラグ栓1の上部に圧接した状態で、金属キャップ6の胴部を瓶7の螺子70の形状に合わせて塑性螺子61を成形し、同様に、金属キャップ6の下端を瓶7の肉厚部71の下端の形状に合わせて絞り成形して封栓を完了する。
【００３６】
開栓は、金属キャップ6を螺子が緩む方向に旋回すると複合キャップBは持上り、切断部62のミシン目で金属キャップ6の下部は切り離されて、ピルファプルーフキャップとして、所望の開封履歴明示機能が達成される。
【００３７】
さらに、図5に示した説明と同様の方法で、複合キャップＢをさらに旋回させて螺子を解放し、複合キャップBを栓抜部20の鈎爪24がプラグ栓1上部の鈎歯12に当接するまで持ち上げ、さらに複合キャップBを抉り乍ら持ち上げると、プラグ栓1の上環状突起13が瓶のビード72をのり越えて瓶7とプラグ栓1の係合が一旦外れて、プラグ栓1と瓶7が接する面では封止円筒部10が容器内面に圧接して生じる摩擦力でプラグ栓1を止めようとする力と、容器内部ガス圧により瓶7からプラグ栓1を押し出そうとする力とが抗した状態となり、その状態から複合キャップＢを持ち上げると、プラグ栓1は下環状突起14が瓶7のビード72に当接するまでは比較的容易に持上り、当接するとプラグ栓1は係止して抜け止まる。この係止した状態では、持上げた金属キャップ6の下端は瓶7の頂部よりも同じか高い位置にある。
【００３８】
図6で示した説明と同様の方法で、図5の状態のプラグ栓1を、再び複合キャップＢを抉り乍ら持上て、下環状突起14がビード72を乗越えると、プラグ栓1は瓶7の容器内部ガス圧によって容器口50から勢いよく飛び出し、飛び出したプラグ栓1がキャップ蓋2の頂部内面に当接した状態が示されている。プラグ栓が容器口50から飛び出すと同時に容器内の圧縮ガスが一気に膨張して、”ポン”と音を発する。
【００３９】
また、複合キャップＢの栓抜部20はハット型プラグ栓1の内側に挿入されているので、容器から飛び出したプラグ栓1は複合キャップＢの内部に納まり、周囲の空間にプラグ栓1が飛び出すことがない。
【実施例】
【００４０】
なお、図1について形状および寸法について例を挙げると、ハット型のプラグ栓1が容器5に密接する部分となる封止円筒部10の外径寸法を、容器口50の内径寸法に対して0.2〜0.4mm大きくしてプラグ栓1を容器5に圧入した際に容器内の炭酸ガスを封栓できる構造とし、容器口50のビード51、プラグ栓1の上環状突起13および下環状突起14の形状および寸法については、図1および図6に示すようにビード51は容器口50の上端から下に3mmまでを内面からの突出最大高さが0.5mmの扁平な半円に形成し、また、図1および図6に示すように上環状突起13および下環状突起14は半径0.4mmの半円を形成する。
【００４１】
図4において、キャップ蓋2の栓抜部20はプラグ栓1の封止円筒部10の内側に位置していて、容器5の内面に嵌着する封止円筒部10の上部内側の鈎歯12と栓抜部20の下部外側の鈎爪24とは上下方向に10mm離間し、プラグ栓1の封止円筒部10の外周には上環状突起13と下環状突起14とが上下方向に12mm離間し、プラグ栓1の下環状突起14の上部が容器5のビード51の下部に当接して係止された状態では、キャップ3の下端は容器5の上端よりも5〜10mm上に位置している。
【００４２】
図4において、プラグ栓１の鈎歯12とキャップ蓋2の鈎爪24が噛合う際の接合面の角度が、鈎歯12の下向き接合面は先端に向かい−15%の下り傾斜、鈎爪24の上向き接合面は先端に向かい＋15%の上り傾斜をして、噛合わせが外れるのを防止している。
【産業上の利用可能性】
【００４３】
シャンパン、スパークリングワイン、発泡酒、ビールなどの発泡性アルコール飲料や発泡性清涼飲料など、すべての発泡性飲料容器の封栓構造として好適であり、特に、乾杯する機会を有するイベント、宴会、パーティーなどで使用する発泡性飲料の容器の封止構造として最適である。
【符号の説明】
【００４４】
1      プラグ栓
2      キャップ蓋
3      キャップ
4      タンパーエビデントバンド
5      容器
6      金属キャップ
7      瓶
10      封止円筒部
11      底板
12      鈎歯
13      上環状突起
14      下環状突起
20      栓抜部
21      外周突起
22      円筒壁
23      アーム
24      鈎爪
30      くぼみ
31      螺子
32      上部平板
33      環状爪
34      プラグ栓ガイド
40      ブリッジ
41      フラップ片
50      容器口
51      ビード
52      螺子
53      肉厚部
54      受圧フランジ
60      嵌合部
61      塑性螺子
62      破断部
63      絞り部
70      螺子
71      肉厚部
72      ビード
Ａ      複合キャップＡ
Ｂ      複合キャップＢ    
【図１】
2019048658.tif 000003
【図２】
2019048658.tif 000004
【図３】
2019048658.tif 000005
【図４】
2019048658.tif 000006
【図５】
2019048658.tif 000007
【図６】
2019048658.tif 000008
【図７】
2019048658.tif 000009
【手続補正書】
【提出日】平成30年7月23日(2018.7.23)
【手続補正２】
【補正対象書類名】特許請求の範囲
【補正対象項目名】全文
【補正方法】変更
【補正の内容】
【特許請求の範囲】
【請求項１】
炭酸ガスを含有する発泡性飲料を注入した容器5の容器口50に圧入して発泡性飲料を封栓止するハット型プラグ栓1と、前記プラグ栓1を容器5に固定するための複合キャップＡで構成する発泡性飲料の封止栓において、前記プラグ栓1は、容器5に密接する封止円筒部10の上端内側に鈎歯12を形成し、また、前記封止円筒部10の上部外側に封栓する際に容器開口上端部内側に設けたビード51に係合する上環状突起13および前記封止円筒部10の下部外側に開栓の最終段階で容器開口上端部内側に設けたビード51に係合する下環状突起14を所定の距離隔てて形成し、前記複合キャップＡは、容器5に螺合しプラグ栓1の上部に圧接してプラグ栓1を容器5に固定するキャップ3と、キャップ蓋2とが嵌合固定してなり、前記キャップ蓋2は、ドーム型頂部内面から降下する栓抜部20を有していることを特徴とする炭酸ガス含有発泡性飲料容器の封止栓。
【請求項２】
キャップ蓋2の頂部内面から降下する栓抜部20は、上部が円筒壁22で円筒壁22に連なって下方に、弾性を有し湾曲可能な柱状のアーム23が、所定の間隔を保って環状に並び、さらに前記アーム23の下端外向きに鈎爪24を形成して構成され、プラグ栓1を圧入した容器5に複合キャップＡを装着する際、容器5に複合キャップＡを被せると栓抜部20下端の鈎爪24の傾斜面がプラグ栓1の鈎歯12の傾斜面に当接し、複合キャップAを押し込むと、鈎爪24は鈎歯12の傾斜面を下方に滑動すると同時にアーム23が内側に弾性湾曲して、鉤爪24は内側に寄せられてプラグ栓1の鈎歯12の開口を挿通して、栓抜部20がプラグ栓１の内側に挿入されてアーム23の湾曲は復元することを特徴とする請求項1記載の炭酸ガス含有発泡性飲料容器の封止栓。
【請求項３】
封栓している状態では、キャップ蓋2の栓抜部20はハット型プラグ栓1の内側に挿入されている、プラグ栓1の鈎歯12と、栓抜部20のアーム23の下端外側の鈎爪24とは上下方向に所定の距離をもって離間していることを特徴とする請求項1または2に記載の炭酸ガス含有発泡性飲料容器の封止栓。
【請求項４】
キャップ3の下端にタンパーエビデントバンドを有することを特徴とする請求項1〜3に記載の炭酸ガス含有発泡性飲料容器の封止栓。
【請求項５】
前記複合キャップＡを握持して捩じる、持ち上げる、抉るなどの動作により、複合キャップＡを持ち上げると、栓抜部20先端の鈎爪24がプラグ栓1の鈎歯12と噛合い、鈎爪24と鈎歯12が噛合いを保持したまま複合キャップＡをさらに持ち上げることで、プラグ栓1を容器5から抜くことができることを特徴とする請求項1〜4に記載の炭酸ガス含有発泡性飲料容器の封止栓。
【請求項６】
プラグ栓１の鈎歯12とキャップ蓋2の鈎爪24が噛合う際の接合面の角度が、鈎歯12の下向き接合面は先端に向かい所定角度下り傾斜し、鈎爪24の上向き接合面は先端に向かい所定角度上り傾斜していて、開栓時に、鈎歯12に鈎爪24を噛合わせてプラグ栓1を引き抜く際、噛合わせが外れるのを防止できることを特徴とする請求項1〜4に記載の炭酸ガス含有発泡性飲料容器の封止栓。
【請求項７】
プラグ栓1を抜く際に握持する複合キャップＡは、上面がドーム形のキャップ蓋2で、胴体部分は、縦に置いた樽を扁平にした形状のキャップ3で、胴の部分に縦に長い楕円形の窪みを円周方向に多数並べて、開栓時に、複合キャップＡを握りやすくしたことを特徴とする請求項1〜4に記載の炭酸ガス含有発泡性飲料容器の封止栓。
【請求項８】
プラグ栓1を抜く際に、容器5のビード51の下部にプラグ栓1の下環状突起14の上部が当接するまで複合キャップＡを適度な力で持ち上げるとプラグ栓1は係止して抜け止まり、その状態ではキャップ3の下端は容器5の上端よりも上の高さに位置することを特徴とする請求項1〜4に記載の炭酸ガス含有発泡性飲料容器の封止栓。
【請求項９】
開栓の最終段階で、プラグ栓1が容器口50から勢いよく飛び出すと、プラグ栓1の底板11と容器5の上端との間に生じた空間から、容器内の圧縮ガスが瞬時に膨張して放出され、”ポン”と、またはそれに類似する音を発することを特徴とする請求項1〜4に記載の炭酸ガス含有発泡性飲料容器の封止栓。
【請求項１０】
プラグ栓1が容器5から飛び出すと、プラグ栓1の鈎歯12は噛合っていた栓抜部20の鈎爪24の接合から離れ、鈎歯12の先端は栓抜部20の円筒壁22及びアーム23の外面に沿って、また、円筒壁10は栓抜部20の先端に沿って上方に瞬時に移動し、プラグ栓1の上部がキャップ蓋2の頂部内面に当接して、複合キャップＡの内側に納まることを特徴とする請求項1〜4に記載の炭酸ガス含有発泡性 飲料容器の封止栓。
【請求項１１】
容器の材質がガラスで、複合キャップを構成するキャップの材質が金属で、なおかつピルファプルーフキャップであることを特徴とする請求項1〜3、5〜6、8〜10に記載の炭酸ガス含有発泡性飲料容器の封止栓と容器とからなる包装体。